【手続補正書】
【提出日】平成23年6月10日(2011.6.10)
【手続補正１】
【補正対象書類名】特許請求の範囲
【補正対象項目名】請求項１
【補正方法】変更
【補正の内容】
【請求項１】
ヘルメットを包む袋状の防水素材のシートよりなるカバー本体と、このカバー本体の任意の場所に設けられたこのヘルメットのあご紐を外に出し入れできる開口部と、前記カバー本体にあってこの開口部とは別の場所に設けられた前記ヘルメットを出し入れできる開閉部とを有する、カバー本体内部のヘルメットを雨やホコリから保護するヘルメット保護カバーにおいて、前記カバー本体の前記開口部周縁又は該開口部周縁から外側に離れた任意の外周の箇所より連結された、前記ヘルメットのあご紐をこの中を通し外に出し入れ可能な中空部を持つ連結体を設けることにより、これによりあご紐を覆い、あご紐への雨水のしみ込みを減らし、あご紐を含めてヘルメットを雨水から更に保護することを特徴とするヘルメット保護カバー。
【手続補正２】
【補正対象書類名】明細書
【補正対象項目名】０００８
【補正方法】変更
【補正の内容】
【０００８】
本発明は、以上のような従来技術の欠点に鑑み、その構造を金属製リング、ワイヤーなどを用いず簡単にし、薄く柔らかで軽い防水素材のシートと開閉部での軽量な開閉具などから構成し、保護カバー自体の全体重量を軽量化し、使用時にセットし易く、未使用時の収納性、携帯性に優れ、手軽に持ち歩け、その色彩、様々なデザイン性のある文字、模様、彩色などを施すことにより使用していて楽しくなるような、また使用時にその彩色、表示されたデザインなどのインパクト性によりオートバイ自体をもより際立たせるような、そして広告宣伝用の露出媒体としても利用され、且つその製造時にもシンプルな構成により所要製造工程が少なくて済むオートバイ駐輪時などでの保管中のヘルメットを降雨、砂塵、ホコリなどからまもり、更にカバー本体の前記開口部周縁又は該開口部周縁から外側に離れた任意の外周の箇所より連結された、前記ヘルメットのあご紐をこの中を通し外に出し入れ可能な中空部を持つ連結体を設けることにより、これによりあご紐を覆い、あご紐への雨水のしみ込みを減らし、あご紐を含めて保管中のヘルメットを雨水からよりまもるためのヘルメット保護カバーを提供することを目的としている。
【手続補正３】
【補正対象書類名】明細書
【補正対象項目名】００３１
【補正方法】変更
【補正の内容】
【００３１】
請求項１０に係る発明では、請求項１に係る発明のヘルメット保護カバーにおいて、前記連結体にひだを設けたことを特徴としている。これは前記連結体の一部分に内ひだ又は外ひだを設けたもので、例えば前記連結体の先端の開口周縁の一部を内ひだとし、この内ひだを前記連結体の付け根まで延長させて設けるか又はこの付け根に至る少し手前まで延長させて設けるもので、その延長させて設ける際は前記連結体の先端の開口周縁の一部から前記付け根又は前記付け根に至る少し手前となる前記延長の終着点にかけて徐々に前記内ひだの幅を狭めていき、この終着点となるダーツ止まりの箇所では前記内ひだはほとんど無くなりそこで縫いくくられているものもある。勿論前記内ひだを設けたとはいえダーツ止まりの箇所を始めとして内ひだ部分の全ては隙間なく縫製などにより塞がれるものなので、前記連結体及び前記カバー本体に雨水などの浸入をもたらす覆いの切れ目、部分的な欠落を新たに生じさせるものではない。
【手続補正４】
【補正対象書類名】明細書
【補正対象項目名】００３２
【補正方法】変更
【補正の内容】
【００３２】
これによりヘルメットを吊り下げ保管するためヘルメットを前記ヘルメット保護カバーに収納セットする際、請求項４に記載の挟持具あるいは別途用意した挟持具により、中に前記あご紐が通っている前記連結体を外側から挟み固定する時に、前記あご紐を例えば内ひだにあてがうとこの内ひだが一つの支え、ガイドとなり、前記あご紐を包みながら隙間少なく前記連結体を嵩張らずきれいに折り畳めることができることになるので、前記挟持具によりしっかりと前記連結体を挟み固定することができることになった。またヘルメットを前記ヘルメット保護カバーに収納セットする際の前記あご紐を前記カバー本体の開口部から前記連結体の中を通して該連結体の外に引き出す時に、内ひだを外側に引き開き該連結体の内寸を一時的に広げ、その広がっている該連結体の中に手又は指を入れて前記あご紐を引っ張り出すことにより、容易に該あご紐を前記連結体の外に出すことができることになった。
【手続補正５】
【補正対象書類名】明細書
【補正対象項目名】００６３
【補正方法】変更
【補正の内容】
【００６３】
第５の実施の形態によるヘルメット保護カバーは、連結体３１が蛇腹状箇所３３を備えることにより伸縮機構を持つことになったので、収納するヘルメットのあご紐６に長い、短いの違いがあっても、吊り下げられたあご紐６が短い場合には蛇腹状箇所３３を縮め、逆に長い場合には蛇腹状箇所３３を伸ばすことにより、ヘルメットのあご紐６の長さに対し許容範囲の広い対応が可能となった。また、第４の実施の形態において、挟持具３２で連結体３１を挟む場合、この伸縮機構を設けることより、連結体３１を上に長く伸ばすことで連結体３１の先端部をこのヘルメットのあご紐６のできるだけ上の部分で挟み固定することができることになったので、連結体３１によりあご紐６を保護できる範囲も大きくなりあご紐６への雨水のしみ込みが減って、このヘルメット保護カバー内部への雨水の侵入をより防ぐことが可能となった。
【手続補正６】
【補正対象書類名】明細書
【補正対象項目名】００６５
【補正方法】変更
【補正の内容】
【００６５】
図１９は、第７の実施の形態を示したものであり、第６の実施の形態における締着手段を、連結体３１の任意の箇所に設けた連結体３１を結わくことにより縮め締めることができる紐３８又は帯で構成し、これにより連結体３１を開閉自在として、あご紐６が通過している連結体３１を紐３８又は帯で縮め締めることにより連結体３１とあご紐６との隙間を少なくしてヘルメット保護カバー内部への雨水などの侵入をより防ぐものである。
【手続補正７】
【補正対象書類名】明細書
【補正対象項目名】００６６
【補正方法】変更
【補正の内容】
【００６６】
図２０は、第８の実施の形態を示したものであり、第６の実施の形態における締着手段を、連結体３１の適所に一端３７を縫着した帯３６であってその表面３４のほぼ全てに面テープ１６を設けその裏面３５の先端部にフックとループにおける対の面テープ１６を設けた帯３６で構成し、この帯３６を巻き締めて該帯３６に設けてあるこの面テープ１６により連結体３１自体を開閉自在に捲着することにより連結体３１とあご紐６との隙間を少なくしてヘルメット保護カバー内部への雨水などの侵入をより防ぐものである。なお、帯３６の裏面３５のほぼ全てにフックとループにおける対の面テープ１６を設けたものでもよいし、フックとループを裏表に併せ持った両面タイプの面テープ自体の一端を連結体３１の適所に縫着して設けるものでもよい。また、帯３６により捲着する手段としての面テープ１６に変えてボタン、スナップなどを用いたものでもよい。
図２１は、第９の実施の形態を示したものであり、第６の実施の形態における締着手段を、巾着のように連結体３１の先端の開口を紐３８又は帯でくくり（すなわち連結体３１の先端の開口周縁に任意の一部分を除いて筒状部を形成し）、この筒状部の中を通って該筒状部の二つの口からそれぞれ外に出ているこの紐３８若しくは帯により構成し、紐３８若しくは帯を縮め結わくこと又は該紐３８若しくは帯を緩め解くことにより連結体３１の先端の開口を開閉自在に締着することにより、連結体３１とあご紐６との隙間を少なくしてヘルメット保護カバー内部への雨水などの侵入をより防ぐものである。
【手続補正８】
【補正対象書類名】明細書
【補正対象項目名】００７３
【補正方法】変更
【補正の内容】
【００７３】
これにより、ヘルメットを吊り下げ収納保管するためヘルメットをヘルメット保護カバーに収納保管セットする際、挟持具（第４の実施の形態のようにヘルメット保護カバーに挟持具が取り付けられている場合でもよいし、別途挟持具を用意して用いる場合でもよい）により中にあご紐６が通っている連結体３１を外側から挟み固定する場合は、あご紐６を内ひだ４１にあてがうとこの内ひだ４１が一つの支え、ガイドとなり、あご６を包みながら隙間少なく連結体３１を嵩張らずきれいに折り畳めることができることになるので、しっかりと連結体３１を挟み固定することができることになった。またヘルメットをヘルメット保護カバーに収納保管セットする際のあご紐６をカバー本体１の開口部６３から連結体３１の中を通して該連結体３１の外に引き出す時に、内ひだ４１を外側に引き開き該連結体３１の内寸を一時的に広げ、その広がっている該連結体３１の中に手又は指を入れてあご紐６を引っ張り出すことにより、容易にあご紐６を連結体３１の外に出すことができるようになった。
【手続補正９】
【補正対象書類名】明細書
【補正対象項目名】００７８
【補正方法】変更
【補正の内容】
【００７８】
図２７は、第１３の実施の形態のヘルメット保護カバーを示す透視斜視図である。第１３の実施の形態は、第１の実施の形態におけるヘルメット保護カバーにおいて、カバー本体１又は連結体３１の任意の箇所より連結紐２９を伸ばし、この伸ばした先にヘルメットのあご紐６を引っ掛けて吊り下げる先のヘルメットホルダー８の上方に、着脱自在に付設できる防水性の有る傘状のカバー５２を設けたものである。また、これは下端円周部一端４９と該下端円周部一端４９の円周上のほぼ反対側に位置する箇所５０とを着脱自在に連結することが可能な連結帯５１を持ち、この連結帯５１によりヘルメットのあご紐６を引っ掛けて吊り下げる先のヘルメットホルダー８の上方に着脱自在に付設できる防水素材のシートよりなる防水性の有る傘状のカバー５２を設けて、この防水性の有る傘状のカバー５２をヘルメットホルダー８の上方に雨水を遮るために着脱自在に付設セットするものである。この場合、連結紐２９のかわりに帯又は鎖を用いてもよいし、ヘルメットホルダー８の上方ではなく上部に付設するものでも、またヘルメットホルダー８のかわりにフック１０の上部又は上方に付設するものでもよい。
【手続補正１０】
【補正対象書類名】明細書
【補正対象項目名】００８２
【補正方法】変更
【補正の内容】
【００８２】
この防水性の有る傘状のカバー５２を設けることにより 、降雨による雨水が連結体３１の先端部の開口からヘルメット保護カバー内部に入り込むことをより防ぐことができる。特にヘルメットが吊り下げられているヘルメットホルダー８又はフック１０の真上に雨水を遮るオートバイシートの縁などの遮蔽物が無い場合などは、この効果は更に大きくなる。